(57)【特許請求の範囲】
【請求項１】
バッテリから供給されるバッテリ電圧を第１の電圧に変換する第１のレギュレータと，
前記第１のレギュレータから出力される第１の電圧を第２の電圧に変換して、該第２の電圧をマイクロコンピュータの第１の電源として出力する第３のレギュレータと，
前記第１のレギュレータから出力される第１の電圧を第３の電圧に変換して、該第３の電圧を前記マイクロコンピュータの第２の電源として出力する第２のレギュレータと，
前記第３のレギュレータから出力される第２の電圧が第１の設定電圧より低下したときにオフ信号を出力し、前記第３のレギュレータから出力される第２の電圧が第２の設定電圧より上昇したときにオン信号を出力する第１の電圧検出手段と，
前記第１の電圧検出手段からオフ信号が出力されると前記第２のレギュレータからの電圧出力を停止する手段を備えたことを特徴とする電源装置。
【請求項２】
バッテリから供給されるバッテリ電圧を第１の電圧に変換する第１のレギュレータと，
前記第１のレギュレータから出力される第１の電圧を第２の電圧に変換して、該第２の電圧をマイクロコンピュータの第１の電源として出力する第３のレギュレータと，
前記第３のレギュレータから出力される第２の電圧を第３の電圧に変換して、該第３の電圧をマイクロコンピュータの第２の電源として出力する第２のレギュレータと，
前記第３のレギュレータから出力される第２の電圧が第１の設定電圧より低下したときにオフ信号を出力し、前記第３のレギュレータから出力される第２の電圧が第２の設定電圧より上昇したときにオン信号を出力する第１の電圧検出手段と，
前記第１の電圧検出手段からオフ信号が出力されると前記第２のレギュレータからの電圧出力を停止する手段を備えたことを特徴とする電源装置。
【請求項３】
請求項１又は２に記載の電源装置において，
前記第１のレギュレータから出力される第１の電圧が第３の設定電圧より低下したときにオフ信号を出力して、前記第１のレギュレータから出力される第１の電圧を停止し、前記第１のレギュレータから出力される第１の電圧が第４の設定電圧より上昇したときにオン信号を出力して、前記第１のレギュレータから出力される第１の電圧を出力させる第２の電圧検出手段を設けたことを特徴とする電源装置。
【請求項４】
請求項１、２又は３に記載の電源装置において，
前記第１の設定電圧は、第２のレギュレータによって生成される第３の電圧よりも高い電圧であることを特徴とする電源装置。
【請求項５】
請求項１、２又は３に記載の電源装置において，
前記第１の電圧検出手段からオン信号が出力されると電圧出力が停止している前記第２のレギュレータを起動し再度バッテリから供給されるバッテリ電圧を変換して所定電圧を出力するようにしたことを特徴とする電源装置。
【請求項６】
請求項１、２、３、４又は５に記載の電源装置において，
前記第２の設定電圧は、前記第１の設定電圧より高い電圧に設定されたものである電源装置。
【請求項７】
請求項１、２、３、４、５又は６に記載の電源装置において，
前記第１の設定電圧、および、前記第２の設定電圧は、第３の設定電圧より低い電圧であることを特徴とする電源装置。
【請求項８】
請求項１、２、３、４、５、６又は７に記載の電源装置において，
前記第２の電圧検出手段からオン信号が出力されると第１の電圧が停止している前記第１のレギュレータを起動し再度バッテリから供給されるバッテリ電圧を変換して第１の電圧を出力するようにしたことを特徴とする電源装置。
【請求項９】
請求項８に記載の電源装置において，
前記第１のレギュレータから出力される第１の電圧が異常時の前記第３の設定電圧に基づく第１のレギュレータの停止後、再起動する第４の設定電圧は、ヒステリシス電圧であることを特徴とする電源装置。
【請求項１０】
請求項１、２、３、４、５、６、７、８又は９に記載の電源装置において，
電源装置１内に過熱状態を検出する過熱検出器を設け、
前記過熱検出器によって電源装置１内が予め設定してある設定温度を検出した時に、前記第１のレギュレータからの第１の電圧の出力を停止することを特徴とする電源装置。
【請求項１１】
請求項１０に記載の電源装置において，
前記第１のレギュレータを停止した後、前記過熱検出器による電源装置１内の検出温度が予め設定してある設定温度より降下したとき、前記第１のレギュレータを再起動する手段を有することを特徴とする電源装置。
【請求項１２】
請求項１１に記載の電源装置において，
前記過熱検出器による設定温度には、ヒステリシスを持たせたことを特徴とする電源装置。
【請求項１３】
請求項１、２、３、４、５、６、７、８、９、１０、１１又は１２に記載の電源装置において，
前記第１のレギュレータをスイッチングレギュレータで構成し、前記第２のレギュレータと前記第３のレギュレータをリニアレギュレータでそれぞれ構成したことを特徴とする電源装置。
【請求項１４】
請求項１、２、３、４、５、６、７、８、９、１０、１１又は１２に記載の電源装置において，
前記第１のレギュレータは昇降圧スイッチングレギュレータで構成し、前記第２のレギュレータと前記第３のレギュレータをリニアレギュレータでそれぞれ構成したことを特徴とする電源装置。
【発明の詳細な説明】
【０００１】
【発明の属する技術分野】
本発明は、エンジン制御装置に電力を供給する電源装置に係り、特に、自動車エンジンを制御するコンピュータに直流電力を供給するエンジン制御装置用の電源装置に関する。
【０００２】
【従来の技術】
近年、コンパクト化、コスト削減から、マイクロコンピュータ１つ当たりの半導体ウェハのサイズが小さくなっている。しかも、クロックスピードが上がってくると、消費電流は増える。そこで、電力を満足するには、電圧を小さくして電力全体を小さくすることが必要となる。このようにマイクロコンピュータのＩＣチップのサイズが小さくなると従来の電圧に対して耐圧が取れなくなって耐圧が小さくなっている。すなわち、マイクロコンピュータの高速化により、ＣＰＵコア電源は損失を低減するために低電圧化する傾向にある。
【０００３】
一方、ＡＤコンバータの基準電圧、デジタルＩ/Ｏ電源は従来同様５Ｖ電圧のまま残り、結果としてマイクロコンピュータは複数の電源を供給する必要がある。
【０００４】
そこで、従来の電源装置は、スイッチングレギュレータで５Ｖを生成し、それを５ＶデジタルＩ/Ｏ電源とし、そこから、直列にシリーズレギュレータで３．３Ｖを生成してＣＰＵコア電源としており、さらに、ＡＤコンバータの基準電圧は、バッテリ電圧から７．８Ｖ生成リニアレギュレータを介して、５Ｖを生成し供給している（例えば、特許文献１参照。）。
【０００５】
【特許文献１】
特開平１１−２６５２２５号公報（第４〜５頁、第１図）
【０００６】
【発明が解決しようとする課題】
この特許文献１では、このようにレギュレータ損失を低減するための手段を講じている。しかし、特許文献１に記載の電源装置は、複数の電源の供給を必要とするマイクロコンピュータの場合、例えば、５Ｖと３．３Ｖの２つの電圧を供給する必要がある場合は、何らかの事情で、そのマイクロコンピュータに供給する２つの電源の電圧が逆転したような場合、マイクロコンピュータ内のアイソレーションが崩れ、ラッチアップを生じる可能性がある。
【０００７】
また、特許文献１に記載の電源装置は、マイクロコンピュータのシュリンク化により、内部で使われる素子の耐圧は低圧化の傾向がある。そのため、５Ｖと３．３Ｖ電源の電位差が大きいと素子が耐圧破壊を生じる可能性がある。
【０００８】
本発明の目的は、複数の電源を生成するレギュレータにおいて、信頼性の高い電源を供給する電源装置を提供することにある。
【０００９】
【課題を解決するための手段】
本発明の１つの特徴は、バッテリから供給されるバッテリ電圧を第１の電圧に変換する第１のレギュレータと，第１のレギュレータから出力される第１の電圧を第２の電圧に変換して、第２の電圧をマイクロコンピュータの第１の電源として出力する第３のレギュレータと，第１のレギュレータから出力される第１の電圧を第３の電圧に変換して、第３の電圧をマイクロコンピュータの第２の電源として出力する第２のレギュレータと，第１のレギュレータから出力される第１の電圧を第３の電圧に変換して、第３の電圧をマイクロコンピュータの第２の電源として出力する第２のレギュレータと，第３のレギュレータから出力される第２の電圧が第１の設定電圧より低下したときにオフ信号を出力し、第３のレギュレータから出力される第２の電圧が第２の設定電圧より上昇したときにオン信号を出力する第１の電圧検出手段と，第１の電圧検出手段からオフ信号が出力されると第２のレギュレータからの電圧出力を停止する手段を備えたことを特徴とするものである。
【００１２】
本発明によれば、第３のレギュレータから出力される第２の電圧が第１の設定電圧より低下したときにオフ信号を出力し、第２の設定電圧より上昇したときにオン信号を出力する第１の電圧検出手段を設け、第３のレギュレータから出力される第２の電圧が第１の設定電圧より低下したときに第２のレギュレータからの電圧出力を停止する手段を備えて構成しているため、高低２つの電圧の供給を行う必要があるマイクロコンピュータの場合、何らかの事情で、マイクロコンピュータに供給する２つの電源の電圧が逆転したような場合であっても、マイクロコンピュータ内のアイソレーションが崩れるのを防止し、ラッチアップを生じるのを防ぐことができる。
【００１３】
本発明のさらに１つの特徴は、バッテリから供給されるバッテリ電圧を第１の電圧に変換する第１のレギュレータと，第１のレギュレータから出力される第１の電圧を第２の電圧に変換する第３のレギュレータと，第１のレギュレータから出力される第１の電圧を第３の電圧に変換する第２のレギュレータと，第３のレギュレータから出力される第２の電圧が第１の設定電圧より低下したときにオフ信号を出力し、第３のレギュレータから出力される第２の電圧が第２の設定電圧より上昇したときにオン信号を出力する第１の電圧検出手段と，第１の電圧検出手段からオフ信号が出力されると第２のレギュレータからの電圧出力を停止する手段を備えたことを特徴とするものである。
【００１４】
本発明によれば、第３のレギュレータから出力される第２の電圧が第１の設定電圧より低下したときにオフ信号を出力し、第２の設定電圧より上昇したときにオン信号を出力する第１の電圧検出手段を設け、第３のレギュレータから出力される第２の電圧が第１の設定電圧より低下したときに第２のレギュレータからの電圧出力を停止する手段を備えて構成しているため、高低２つの電圧の供給を行う必要があるマイクロコンピュータの場合、何らかの事情で、マイクロコンピュータに供給する２つの電源の電圧が逆転したような場合であっても、マイクロコンピュータ内のアイソレーションが崩れるのを防止し、ラッチアップを生じるのを防ぐことができる。
【００１５】
本発明のさらに他の１つの特徴は、第１のレギュレータから出力される第１の電圧が第３の設定電圧より低下したときにオフ信号を出力し、第１のレギュレータから出力される第１の電圧を停止する第２の電圧検出手段を設けたことを特徴とするものである。
【００１６】
本発明によれば、第１のレギュレータから出力される第１の電圧が第３の設定電圧より低下したときに、第１の電圧の出力を停止する第２の電圧検出手段を設けて構成しているため、第１のレギュレータから出力される第１の電圧の低下によってマイクロコンピュータの誤動作を防止することができる。
【００１７】
本発明の他の特徴は、後述する実施の形態の中で記述する。
【００１８】
【発明の実施の形態】
図１には、本発明に係る電源装置の第１の実施の形態が示されている。
すなわち、図１において、バッテリ１には、レギュレータ（第１のレギュレータ）２が接続されており、バッテリ１から供給されるバッテリ電圧Ｖ１がレギュレータ２に供給されるようになっている。このレギュレータ２は、バッテリ１から供給される例えば２２Ｖのバッテリ電圧Ｖ１を所定の電圧（例えば、７．８Ｖ）に変換して出力するものである。このレギュレータ２の出力端子には、レギュレータ（第３のレギュレータ）３とレギュレータ（第２のレギュレータ）４が接続されている。
【００１９】
また、このレギュレータ２の出力端子には、電圧検出器（第２の電圧検出手段）５が接続されており、この電圧検出器５の出力は、レギュレータ２に接続されている。また、レギュレータ３の出力端子には、電圧検出器（第１の電圧検出手段）６が接続されており、この電圧検出器６の出力は、レギュレータ４に接続されている。
【００２０】
このレギュレータ２と、レギュレータ３と、レギュレータ４と、電圧検出器５と、電圧検出器６とによって電源装置１０が構成されている。そして、この電源装置１０の内部には、電源装置１０の内部の異常温度を検出する過熱検出器７が設けられており、この過熱検出器７は、レギュレータ２に接続されている。そして、この電源装置１０には、マイクロコンピュータ８が接続されている。
【００２１】
このレギュレータ（第３のレギュレータ）３においては、レギュレータ（第１のレギュレータ）２から出力される出力電圧（第１の電圧）Ｖ２から、例えば、マイクロコンピュータのＩ／Ｏ電源に最適な５Ｖを生成し、出力電圧（第２の電圧）Ｖ３としてマイクロコンピュータ８に出力する。
また、このレギュレータ（第２のレギュレータ）４においては、レギュレータ（第１のレギュレータ）２から出力される出力電圧Ｖ２から、例えば、マイクロコンピュータのＣＰＵコア電源に最適な３．３Vを生成し、出力電圧Ｖ４としてマイクロコンピュータ８に出力する。
【００２２】
このようにレギュレータ（第１のレギュレータ）２では、バッテリ１から供給されるバッテリ電圧Ｖ１を後段のレギュレータ（第３のレギュレータ）３、および、レギュレータ（第２のレギュレータ）４の損失が小となり、且つ、レギュレータ３の目標電圧Ｖ３ａ、および、レギュレータ４の目標電圧Ｖ４ａが出力できる電圧を生成して出力する。
【００２３】
また、電圧検出器５は、レギュレータ（第１のレギュレータ）２の出力電圧を検出するもので、検出したレギュレータ２の出力電圧が予め設定した第１の設定電圧より低下したときにレギュレータ２に対しオフ信号を出力し、レギュレータ２を停止する作用を有している。また、電圧検出器５は、検出したレギュレータ２の出力電圧が予め設定した第４の設定電圧より上昇したときにレギュレータ２に対しオン信号を出力し、一旦停止したレギュレータ２を再起動する作用を有している。
【００２４】
また、電圧検出器６は、レギュレータ（第３のレギュレータ）３の出力電圧を検出するもので、検出したレギュレータ３の出力電圧が予め設定した第１の設定電圧より低下したときにレギュレータ（第２のレギュレータ）４に対しオフ信号を出力し、レギュレータ４を停止する作用を有している。また、電圧検出器６は、検出したレギュレータ３の出力電圧が予め設定した第２の設定電圧より上昇したときにレギュレータ（第２のレギュレータ）４に対しオン信号を出力し、一旦停止したレギュレータ４を再起動する作用を有している。
【００２５】
過熱検出器７は、電源装置１０の内部の異常温度を検出するもので、電源装置１０の内部の温度が予め設定した第１の設定温度に達したときにレギュレータ（第１のレギュレータ）２に対しオフ信号を出力し、レギュレータ２を停止する作用を有している。また、過熱検出器７は、電源装置１０の内部の温度が下降し始め、予め設定した第２の設定温度より下降したときにレギュレータ２に対しオン信号を出力し、一旦停止したレギュレータ２を再起動する作用を有している。
【００２６】
電源装置１０に接続されるマイクロコンピュータ８は、近年のマイクロコンピュータの高速化により、その電源は複数有している。このマイクロコンピュータ８には、レギュレータ３から出力される出力電圧Ｖ３が、主にＩ／Ｏ入出力用電源（５Ｖ電圧が一般的）として入力され、レギュレータ４から出力される出力電圧Ｖ４がＣＰＵコア電源（３．３Ｖが一般的であるが、将来的には２．６Ｖ、１．８Ｖと更に低電圧化する傾向にある）として入力されるように構成されている。
【００２７】
請求項１に記載の発明においては、第１のレギュレータと第２のレギュレータとで構成してあるが、この第１のレギュレータは、図１のレギュレータ（第１のレギュレータ）２で、バッテリ１から供給されるバッテリ電圧Ｖ１から、例えば、マイクロコンピュータのＩ／Ｏ電源に最適な５Ｖを生成し、出力電圧（第１の電圧）Ｖ２としてマイクロコンピュータ８に出力する構成となっている。
【００２８】
また、請求項５及び請求項６に記載の発明においては、第１のレギュレータと、第３のレギュレータと、第２のレギュレータの３つのレギュレータだ構成するものとなっているが、この第１のレギュレータは、図１のレギュレータ（第１のレギュレータ）２で、第３のレギュレータは、図１のレギュレータ（第３のレギュレータ）３で、第２のレギュレータは、図１のレギュレータ（第２のレギュレータ）４に相当するものである。また、請求項５に記載の発明における第１の電圧検出手段は、図１の電圧検出器６に相当するものである。
【００２９】
また、請求項７に記載の発明における第２の電圧検出手段は、図１の電圧検出器５に相当するものである。
【００３０】
図２には、図１に図示の電源装置１０のレギュレータ２と、レギュレータ３と、レギュレータ４と、電圧検出器５と、電圧検出器６と、過熱検出器７の各回路の詳細が示されている。
【００３１】
図２において、レギュレータ２は、降圧型スイッチングレギュレータで、このようにレギュレータ２に、スイッチングレギュレータを適用することにより、レギュレータの損失を低減することで、特に、今後のバッテリ１から供給されるバッテリ電圧Ｖ１が、例えば、４２Ｖのような高電圧化された場合に、更に有効となる。また、このレギュレータ２から出力される出力電圧（第１の電圧）Ｖ２は、レギュレータ３に入力されるもので、直接マイクロコンピュータ８に入力していないため、精度が必要無いために、レギュレータ２で生成される出力電圧Ｖ２のリップル電圧の影響も考慮する必要がないために、安価なインダクタンス２２、コンデンサ２４を使用できる利点もある。
【００３２】
すなわち、バッテリ１には、スイッチ素子２１を介して平滑回路が接続されている。このスイッチ素子２１は、バッテリ１から供給されるバッテリ電圧Ｖ１をＰＷＭ（Pulse Width Modulation）制御させて平滑回路２２に出力するものである。この平滑回路２２は、インダクタンス２３、コンデンサ２４、ダイオード２５によって構成されており、スイッチ素子２１でＰＷＭ制御されたバッテリ１から供給されるバッテリ電圧Ｖ１を平滑化して、出力電圧（第１の電圧）Ｖ２として一定の電圧を出力する。
【００３３】
この平滑回路２２の出力端子には、２つの抵抗によって構成される分圧器２６を介して、ＯＰアンプ２７の正（＋）入力端子が接続されている。このＯＰアンプ２７の負（−）入力端子には、基準電圧発生回路２８が接続されている。このＯＰアンプ２７の出力端子には、コントローラ２０が接続されている。このＯＰアンプ２７は、正（＋）入力端子に入力する電圧と、負（−）入力端子に入力する電圧との差分を算出して、コントローラ２０に出力するものである。また、このコントローラ２０は、ＯＰアンプ２７から出力される差分によって、レギュレータ２から出力される出力電圧Ｖ２が、目標電圧（例えば、７．８Ｖ）Ｖ２ａになるようにスイッチ素子２１のオン時間をコントロールするものである。
【００３４】
このスイッチ素子２１、平滑回路２２、分圧器２６、ＯＰアンプ２７、基準電圧発生回路２８、コントローラ２０によってレギュレータ２が構成されている。
【００３５】
レギュレータ３は、リニアレギュレータで、レギュレータ２から出力される出力電圧（例えば、７．８Ｖ）Ｖ２から、例えば、５Ｖ電源を生成してマイクロコンピュータ８のＩ／Ｏ電源用の出力電圧（第２の電圧）Ｖ３として出力する。このレギュレータ３から出力される５Ｖの出力電圧（第２の電圧）Ｖ３は、マイクロコンピュータ８のＡ／Ｄコンバータの基準電圧にも適用可能なように、リップル電圧を低く抑えるためにも、リニアレギュレータ方式が有効である。
【００３６】
このレギュレータ３は、スイッチ素子３１を有している。このスイッチ素子３１の入力端子には、レギュレータ２の出力端子が接続されている。このスイッチ素子３１は、レギュレータ２から出力されてくる出力電圧（第１の電圧）Ｖ２をＰＷＭ（Pulse Width Modulation）制御させて、例えば、５Ｖの電圧を生成してマイクロコンピュータ８のＩ／Ｏ電源用の出力電圧（第２の電圧）Ｖ３として出力する。このスイッチ素子３１の出力端子には、分圧器３３を介して、ＯＰアンプ３４の正（＋）入力端子が接続されている。このＯＰアンプ３４の負（−）入力端子には、基準電圧発生回路３５が接続されており、このＯＰアンプ３４の出力端子には、スイッチ素子３１が接続されている。
【００３７】
そして、このＯＰアンプ３４は、正（＋）入力端子に入力するスイッチ素子３１から出力される出力電圧Ｖ３を分圧器３３で電圧変換した値と、負（−）入力端子に入力する基準電圧発生回路３５から出力される基準電圧との差分を算出して、スイッチ素子３１に出力するものである。このスイッチ素子３１は、ＯＰアンプ３４から出力される差分電圧に基づくオン時間でスイッチング動作を行う。すなわち、レギュレータ３から出力される出力電圧（第２の電圧）Ｖ３は、ＯＰアンプ３４から出力される差分によって、スイッチ素子２１のオン時間をコントロールして目標電圧（例えば、５Ｖ）Ｖ２ａになるように制御される。
なお、３２は、リニアレギュレータ３のフィードバック系を安定させるための位相補償用コンデンサである。
【００３８】
このスイッチ素子３１、位相補償用コンデンサ３２、分圧器３３、ＯＰアンプ３４、基準電圧発生回路３５によってレギュレータ３が構成されている。
【００３９】
レギュレータ４は、レギュレータ３から出力される出力電圧（第２の電圧）Ｖ３とは異なる電圧（例えば、３．３Ｖ）を生成するリニアレギュレータである。このレギュレータ４で生成される３．３Ｖ電源は、レギュレータ２から出力されてくる出力電圧（第１の電圧）Ｖ２から降圧するために、損失は小さく抑えられる。このため、レギュレータ４は、部品点数が少ないリニアレギュレータ方式を採用することができる。
【００４０】
このレギュレータ４は、スイッチ素子４１を有している。このスイッチ素子４１の入力端子には、レギュレータ２の出力端子が接続されている。このスイッチ素子４１は、レギュレータ２から出力されてくる出力電圧（第１の電圧）Ｖ２をＰＷＭ（Pulse Width Modulation）制御させて、例えば、３．３Ｖの電圧を生成してマイクロコンピュータ８のＣＰＵコア電源用の出力電圧（第３の電圧）Ｖ４として出力する。このスイッチ素子４１の出力端子には、分圧器４３を介して、ＯＰアンプ４４の正（＋）入力端子が接続されている。このＯＰアンプ４４の負（−）入力端子には、基準電圧発生回路４５が接続されており、このＯＰアンプ４４の出力端子には、コントローラ４６が接続されている。
【００４１】
このＯＰアンプ４４は、正（＋）入力端子に入力するスイッチ素子４１から出力される出力電圧Ｖ４を分割回路４３で電圧変換した値と、負（−）入力端子に入力する基準電圧発生回路４５から供給される基準電圧との差分を算出して、コントローラ４６に出力するものである。このコントローラ４６は、ＯＰアンプ４４から出力される差分によって、レギュレータ４から出力される出力電圧Ｖ４が、目標電圧（例えば、３．３Ｖ）Ｖ４ａになるようにスイッチ素子４１のオン時間をコントロールする機能を有している。また、このコントローラ４６は、レギュレータ３から出力される出力電圧Ｖ３の値によって、スイッチ素子４１の起動、停止のスイッチング動作を行う機能を有している。
なお、４２は、リニアレギュレータ４のフィードバック系を安定させるための位相補償用コンデンサである。
【００４２】
このスイッチ素子４１、位相補償用コンデンサ４２、分圧器４３、ＯＰアンプ４４、基準電圧発生回路４５、コントローラ４６によってレギュレータ４が構成されている。
【００４３】
電圧検出器５は、レギュレータ２から出力される出力電圧Ｖ２の値を監視するものである。すなわち、レギュレータ２のスイッチ素子２１の出力端子には、分圧器５１を介して、ＯＰアンプ５２の正（＋）入力端子が接続されている。このＯＰアンプ５２の負（−）入力端子には、基準電圧発生回路５３が接続されており、このＯＰアンプ５２の出力端子には、レギュレータ２のコントローラ２０が接続されている。そして、このＯＰアンプ５２は、正（＋）入力端子に入力するスイッチ素子２１から出力される出力電圧Ｖ２を分圧器５１で電圧変換した値と、負（−）入力端子に入力する基準電圧発生回路５３から出力される基準電圧との差分を算出して、レギュレータ２のコントローラ２０に検出信号Ｄ５を出力するものである。
【００４４】
このコントローラ２０には、分圧器５１を介してＯＰアンプ５２の正（＋）入力端子に入力される電圧値がＯＰアンプ５２の負（−）入力端子に入力される基準電圧発生回路５３から出力される基準電圧より大きくなるとオフ信号が入力され、分圧器５１を介してＯＰアンプ５２の正（＋）入力端子に入力される電圧値がＯＰアンプ５２の負（−）入力端子に入力される基準電圧発生回路５３から出力される基準電圧より小さくなるとオン信号が入力される。このＯＰアンプ５２からオフ信号を出力するときの基準電圧が第３の設定値で、ＯＰアンプ５２からオン信号を出力するときの基準電圧が第４の設定値で、この第３の設定値と第４の設定値とは、ヒステリシスを持たせてある。
【００４５】
このレギュレータ２のコントローラ２０は、ＯＰアンプ５２からオフ信号が出力されてくると、レギュレータ２のスイッチ素子２１をオフし、ＯＰアンプ５２からオン信号が出力されてくると、レギュレータ２のスイッチ素子２１をオンする機能を有している。このようにレギュレータ２から出力される出力電圧Ｖ２によってスイッチ素子２１のオン・オフ制御を電圧検出器５によって行うのは、第１のレギュレータ２から出力される出力電圧（第１の電圧）Ｖ２が第３の設定電圧（基準電圧回路５２から出力される基準電圧）より低下することによってマイクロコンピュータ８が誤動作するのを防止するためである。
【００４６】
この分圧器５１、ＯＰアンプ５２、基準電圧発生回路５３によって電圧検出器５が構成されている。
【００４７】
電圧検出器６は、レギュレータ３から出力される出力電圧（第２の電圧）Ｖ３の値を監視するものである。すなわち、レギュレータ３のスイッチ素子３１の出力端子には、分圧器６１を介して、ＯＰアンプ６２の正（＋）入力端子が接続されている。このＯＰアンプ６２の負（−）入力端子には、基準電圧発生回路６３が接続されており、このＯＰアンプ６２の出力端子には、レギュレータ４のコントローラ４６が接続されている。そして、このＯＰアンプ６２は、正（＋）入力端子に入力するスイッチ素子３１から出力される出力電圧Ｖ３を分圧器６１で電圧変換した値と、負（−）入力端子に入力する基準電圧発生回路６３から出力される基準電圧との差分を算出して、レギュレータ４のコントローラ４６に検出信号Ｄ６を出力するものである。
【００４８】
このレギュレータ４のコントローラ４６には、分圧器６１を介してＯＰアンプ６２の正（＋）入力端子に入力される電圧値がＯＰアンプ６２の負（−）入力端子に入力される基準電圧発生回路６３から出力される基準電圧より大きくなるとオフ信号が入力され、分圧器６１を介してＯＰアンプ６２の正（＋）入力端子に入力される電圧値がＯＰアンプ６２の負（−）入力端子に入力される基準電圧発生回路６３から出力される基準電圧より小さくなるとオン信号が入力される。このＯＰアンプ６２からオフ信号を出力するときの基準電圧が第１の設定値で、ＯＰアンプ６２からオン信号を出力するときの基準電圧が第２の設定値で、この第１の設定値と第２の設定値とは、ヒステリシスを持たせてある。
【００４９】
このレギュレータ４のコントローラ４６は、ＯＰアンプ６２からオフ信号が出力されてくると、レギュレータ４のスイッチ素子４１をオフし、ＯＰアンプ６２からオン信号が出力されてくると、レギュレータ４のスイッチ素子４１をオンする機能を有している。このようにレギュレータ３から出力される出力電圧Ｖ３によってレギュレータ４のスイッチ素子４１のオン・オフ制御を電圧検出器６によって行うのは、レギュレータ３から出力される出力電圧（第２の電圧）Ｖ３が第１の設定電圧（基準電圧発生回路６３から出力される基準電圧）より低下することによってマイクロコンピュータ８が誤動作するのを防止するためである。
【００５０】
この分圧器６１、ＯＰアンプ６２、基準電圧発生回路６３によって電圧検出器５が構成されている。
【００５１】
過熱検出器７は、電源装置１０の内部の温度を監視するものである。すなわち、温度検出素子７２には、定電圧発生回路７１、および、定電流源７３によって定電流が供給されている。この温度検出素子７２は、電源装置１０の内部の温度が変化すると、その温度の変化によって、その両端の電位差が変化する。そこで、電源装置１０の内部の温度変化によって生じる電位差と基準電圧発生回路７５とを比較器７４によって比較する。この比較器７４は、電源装置１０の内部の温度が設定温度（第１の過熱レベル）まで温度検出素子７２の両端の電位差が変化した時、検出信号Ｄ７が変化する。すなわち、比較器７４から出力される検出信号Ｄ７は、Ｌｏｗ信号からＨｉ信号に変化する。また、電源装置１０の内部の温度が設定温度（第１の過熱レベル）を超えた後、降下し、設定温度（第２の過熱レベル）より低下した時、比較器７４から出力される検出信号Ｄ７は、Ｈｉ信号からＬｏｗ信号に変化する。この比較器７４から出力される検出信号Ｄ７は、レギュレータ２のコントローラ２０に入力される。
【００５２】
このレギュレータ２のコントローラ２０には、比較器７４からＬｏｗ信号の検出信号Ｄ７出力されると、レギュレータ２のスイッチ素子２１をオンし、比較器７４からＨｉ信号の検出信号Ｄ７出力されると、レギュレータ２のスイッチ素子２１をオフする機能を有している。このようにレギュレータ２から出力される出力電圧Ｖ２によってスイッチ素子２１のオン・オフ制御を過熱検出器７によって行うのは、電源装置１０の内部の温度が異常に高くなると、電源装置１０の素子が誤動作を起こしたり、破壊されたりするのを防止するためである。この比較器７４からＨｉ信号の検出信号Ｄ７を出力するときの基準電圧が設定温度（第１の過熱レベル）で、比較器７４からＬｏｗ信号を出力するときの設定温度（第２の過熱レベル）は、ヒステリシスを持たせることによって設定している。
【００５３】
この定電圧発生回路７１、温度検出素子７２、定電流源７３、比較器７４、基準電圧発生回路７５によって過熱検出器７が構成されている。
【００５４】
このようにレギュレータ２のコントローラ２０では、電圧検出器６から出力される検出信号Ｄ６、および、過熱検出器７から出力される検出信号Ｄ７によってレギュレータ２のスイッチ素子２１の起動／停止（レギュレータ２の起動／停止）を決定される。
【００５５】
なお、本実施の形態においては、基準電圧発生回路を複数有しているが、一般的には、基準電圧発生回路は１つで構成し、各部にバッファを介して供給するようになっている。
【００５６】
図３には、バッテリ１から供給されるバッテリ電圧Ｖ１の起動、停止時の各レギュレータの出力電圧のタイムチャートが示されている。
図３において、まず、図３に図示のタイミングａの時点において、図３（Ａ）に示す如く、バッテリ１からバッテリ電圧Ｖ１が供給され電源装置１０が起動する。このバッテリ１からバッテリ電圧Ｖ１が供給されると、図３（Ｂ）に示す如く、レギュレータ２が起動し、バッテリ１から供給されるバッテリ電圧Ｖ１の上昇にしたがってレギュレータ２からは、出力電圧Ｖ２が目標電圧Ｖ２ａになるように出力される。このレギュレータ２が起動し出力電圧Ｖ２が出力されると、図３（Ｃ）に示す如く、レギュレータ３が起動し、レギュレータ２から出力されるバッテリ電圧Ｖ２の上昇にしたがってレギュレータ３からは、出力電圧Ｖ３が目標電圧Ｖ３ａになるように出力される。
【００５７】
複数の電源を有するマイクロコンピュータ８では、レギュレータ３から出力される出力電圧Ｖ３、および、レギュレータ４から出力される出力電圧Ｖ４の間には、
出力電圧Ｖ３  ≧  出力電圧Ｖ４    ………………………………（１）
という式（１）による制限が存在する。
【００５８】
また、マイクロコンピュータ８によっては、
出力電圧Ｖ３〜出力電圧Ｖ４ ≦  所定電圧   ……………………（２）
という式（２）による制限が存在する。
【００５９】
いま、レギュレータ４を起動、停止させるには、式（１）及び式（２）が成立するように制御しなければならない。すなわち、レギュレータ３から出力される出力電圧Ｖ３が、図３（Ｃ）に示す如く、電圧Ｖ３ｂ以上（レギュレータ４の目標電圧Ｖ４ａ以上）あることを電圧検出器６によって図３に図示のタイミングｂの時点で検出すると、電圧検出器６は、検出信号Ｄ６（オン信号）によりレギュレータ４を起動する。この時点で、電圧Ｖ３ｂの電圧は、レギュレータ３から出力される出力電圧Ｖ３と、レギュレータ４から出力される出力電圧Ｖ４との差電圧となる。したがって、電圧Ｖ３ｂは、
電圧Ｖ４ａ  ≦  電圧Ｖ３ｂ  ≦  所定電圧    …………………（３）
という式（３）が成り立つように設定する。
【００６０】
その後、図３に図示のタイミングｃの時点で、バッテリ１から供給されるバッテリ電圧Ｖ１が停止すると、バッテリ１から供給されるバッテリ電圧Ｖ１に追従して、図３（Ｂ）に示す如くレギュレータ２から出力される出力電圧Ｖ２が、また、図３（Ｃ）に示す如くレギュレータ３から出力される出力電圧Ｖ３がそれぞれ降下を開始する。
【００６１】
いま、ここで、レギュレータ３から出力される出力電圧Ｖ３が、
出力電圧Ｖ３  ≦  電圧Ｖ３ｂ〜ヒステリシス電圧Ｖ３ｃ  ………（４）
という式（４）の条件を満足することを電圧検出器６が検出すると、電圧検出器６は、出力する検出信号Ｄ６を図３（Ｅ）に示す如くのタイミングｄでＨｉのオン信号からＬｏｗのオフ信号に変えて出力する。この電圧検出器６からオフ信号が出力されると、レギュレータ４は、この電圧検出器６からのオフ信号によって停止される。このように電圧検出器６からのオフ信号でレギュレータ４を停止させて、レギュレータ３から出力される出力電圧Ｖ３より先にレギュレータ４から出力される出力電圧Ｖ４を降下させ、式（１）及び、式（２）の条件を満足させる。
【００６２】
なお、ヒステリシス電圧Ｖ３ｃは、
電圧Ｖ４ａ  ≦  電圧Ｖ３ｂ〜ヒステリシス電圧Ｖ３ｃ  …………（５）
という式（５）を満足する値に設定する。
【００６３】
図４には、レギュレータ２から出力される出力電圧Ｖ２が異常電圧となった場合のタイムチャートが示されている。
図４において、まず、図４に図示のタイミングａの時点において、バッテリ１からバッテリ電圧Ｖ１が供給され電源装置１０が起動する。このバッテリ１からバッテリ電圧Ｖ１が供給されると、図４（Ａ）に示す如く、レギュレータ２が起動し、バッテリ１から供給されるバッテリ電圧Ｖ１の上昇にしたがってレギュレータ２からは、出力電圧Ｖ２が目標電圧Ｖ２ａになるように出力される。このレギュレータ２が起動し出力電圧Ｖ２が出力されると、図４（Ｂ）に示す如く、レギュレータ３が起動し、レギュレータ２から出力されるバッテリ電圧Ｖ２の上昇にしたがってレギュレータ３からは、出力電圧Ｖ３が目標電圧Ｖ３ａになるように出力される。
【００６４】
このようにレギュレータ３が起動すると、レギュレータ３から出力される出力電圧Ｖ３を受けてレギュレータ４は、レギュレータ３から出力される出力電圧Ｖ３が電圧Ｖ３ｂ以上になる図４に図示のタイミングｂの時点で、電圧検出器６からオン信号（検出信号Ｄ６）が出力され、この電圧検出器６からのオン信号（検出信号Ｄ６）によって起動する。
【００６５】
図４に図示のタイミングｂの時点から図３に図示のタイミングｃの時点は、各部正常な動作波形となっている。
いま、図４に図示のタイミングｃの時点で、図４（Ａ）に示す如く何らかの原因でレギュレータ２から出力される出力電圧Ｖ２が上昇し、図４に図示のタイミングｄの時点で電圧検出器５によって過電圧（第３の設定値）を検出し、電圧（過電圧判定値）Ｖ２ｂに達すると、電圧検出器５からは、図４（Ｂ）に示す如く検出信号（過電圧オフ信号）Ｄ５がレギュレータ２のコントローラ２０に出力される。この電圧検出器５から検出信号（過電圧オフ信号）Ｄ５が出力されると、レギュレータ２は、この電圧検出器５から出力される検出信号（過電圧オフ信号）Ｄ５によって遮断される。
【００６６】
このレギュレータ２から出力される出力電圧Ｖ２の出力を停止すると、バッテリ１から供給されるバッテリ電圧Ｖ１は、電気的に遮断される。このバッテリ１から供給されるバッテリ電圧Ｖ１の遮断によって、その後、レギュレータ２から出力される出力電圧Ｖ２は、図４（Ａ）に示す如く、下降し始め、図４に図示のタイミングｅの時点で、電圧検出器５がヒステリシス電圧Ｖ２ｃを検出する。すなわち、図４に図示のタイミングｅの時点で、電圧検出器５が、
出力電圧Ｖ２  ≦  電圧Ｖ２ｂ〜ヒステリシス電圧Ｖ２ｃ  ………（５）
という式（６）を満足するレギュレータ２から出力される出力電圧Ｖ２を検出すると、電圧検出器５は、検出信号（再起動電圧オン信号）Ｄ５を出力してレギュレータ２を再起動する。
【００６７】
このレギュレータ２の再起動の後、レギュレータ２から出力される出力電圧Ｖ２が図４（Ａ）に示す如く再度上昇し、図４に図示のタイミングｆの時点で、電圧検出器５によって、再度、過電圧（第３の設定値）を検出し、電圧（過電圧判定値）Ｖ２ｂに達すると、電圧検出器５からは、図４（Ｂ）に示す如く再度、検出信号（過電圧オフ信号）Ｄ５がレギュレータ２のコントローラ２０に出力される。この電圧検出器５から検出信号（過電圧オフ信号）Ｄ５が出力されると、レギュレータ２は、この電圧検出器５から出力される検出信号（過電圧オフ信号）Ｄ５によって再度遮断される。すなわち、レギュレータ２から出力される出力電圧Ｖ２の出力を停止することによって、バッテリ１から供給されるバッテリ電圧Ｖ１を電気的に遮断する。そして、レギュレータ２から出力される出力電圧Ｖ２が、図４（Ａ）に示す如く、図４に図示のタイミングｇの時点で、ヒステリシス電圧Ｖ２ｃまで低下すると、電圧検出器５は、検出信号（再起動電圧オン信号）Ｄ５を出力してレギュレータ２を再起動する。
【００６８】
このレギュレータ２から出力される出力電圧Ｖ２が、図４に図示のタイミングｄから図４に図示のタイミングｇの間に示すように目標電圧Ｖ２ａに安定しない場合は、以後、レギュレータ２の遮断、再起動を継続し、レギュレータ２から出力される出力電圧Ｖ２を過電圧判定値Ｖ２ｂ以下に抑え、後段のレギュレータを損失悪化から保護する。また、電圧検出器５で検出するレギュレータ２から出力される出力電圧Ｖ２が、過電圧判定値Ｖ２ｂに達すると、レギュレータ２を遮断し、レギュレータ２から出力される出力電圧Ｖ２が下降し始め、レギュレータ２から出力される出力電圧Ｖ２が、図４（Ａ）に示す如く、ヒステリシス電圧Ｖ２ｃに達し、電圧検出器５がヒステリシス電圧Ｖ２ｃを検出すると、レギュレータ２は再起動する。
【００６９】
このレギュレータ２が再起動後、正常に復帰している場合（再起動後、レギュレータ２から出力される出力電圧Ｖ２が再度上昇しない場合）は、図４に図示のタイミングｇの時点で、レギュレータ２から出力される出力電圧Ｖ２は、目標電圧Ｖ２ａになり、以後、目標電圧Ｖ２ａに安定する。
【００７０】
図５には、電源装置１０が過熱し、電源装置１０の内部の温度が異常になった時のフローチャートが示されている。
図５において、まず、図５に図示のタイミングａの時点において、バッテリ１からバッテリ電圧Ｖ１が供給され電源装置１０が起動する。このバッテリ１からバッテリ電圧Ｖ１が供給されると、図５（Ａ）に示す如く、レギュレータ２が起動し、バッテリ１から供給されるバッテリ電圧Ｖ１の上昇にしたがってレギュレータ２からは、出力電圧Ｖ２が目標電圧Ｖ２ａになるように出力される。このレギュレータ２が起動し出力電圧Ｖ２が出力されると、図５（Ｄ）に示す如く、レギュレータ３が起動し、レギュレータ２から出力されるバッテリ電圧Ｖ２の上昇にしたがってレギュレータ３からは、出力電圧Ｖ３が目標電圧Ｖ３ａになるように出力される。
【００７１】
このようにレギュレータ３が起動すると、レギュレータ３から出力される出力電圧Ｖ３が電圧Ｖ３ｂ以上になる図４に図示のタイミングｂの時点で、電圧検出器６からは、図５（Ｆ）に示す如く、オン信号（検出信号Ｄ６）が出力される。そして、レギュレータ４は、この電圧検出器６からのオン信号（検出信号Ｄ６）によって、図５（Ｅ）に示す如く起動し、レギュレータ４から出力される出力電圧Ｖ４が上昇する。
【００７２】
図５に図示のタイミングｂの時点から図５に図示のタイミングｃの時点は、各部の正常な動作波形となっている。
いま、図５に図示のタイミングｃの時点で、図５（Ｂ）に示す如く何らかの原因で電源装置１０の内部の温度Ｔが第１の設定温度ｔ１に達すると、過熱検出器７は、電源装置１０の内部の温度が異常温度になったことを検出し、図５（Ｃ）に示す如く、過熱検出器７は、出力する検出信号Ｄ７（Ｌｏｗ信号）を反転した信号（Ｈｉ信号）を出力する。この過熱検出器７から、図５（Ｃ）に示す如く反転した検出信号Ｄ７が出力されると、この検出信号Ｄ７を受けて、レギュレータ２は、停止する。レギュレータ２が停止すると、レギュレータ２から出力される出力電圧Ｖ２は、図５（Ａ）に示す如く低下し、レギュレータ３から出力される出力電圧Ｖ３が図５（Ｄ）に示す如く追従して低下する。
【００７３】
このレギュレータ３から出力される出力電圧Ｖ３が低下し、レギュレータ３から出力される出力電圧Ｖ３が、図５（Ｄ）に示す如く電圧Ｖ３ｂ〜ヒステリシス電圧Ｖ３ｃまで低下すると、電圧検出器６は、レギュレータ３から出力される出力電圧Ｖ３の変動する電圧を検出し、図５（Ｆ）に示す如く検出信号Ｄ６（Ｈｉ信号）を反転した信号（Ｌｏｗ信号）を出力する。この電圧検出器６の検出信号Ｄ６によってレギュレータ４は、停止し、レギュレータ４から出力される出力電圧Ｖ４が低下する。
【００７４】
レギュレータ２を停止した後、電源装置１０の内部の温度Ｔが降下し、図５に図示のタイミングｅの時点で、図５（Ｂ）に示す如く温度ｔ１〜ｔ２まで低下すると、図５（Ｃ）に示す如く、過熱検出器７の検出信号Ｄ７は、Ｈｉ信号（オフ信号）からＬｏｗ信号（オン信号）に反転する。この図５に図示のタイミングｅの時点で、図５（Ｃ）に示す如き過熱検出器７の反転した検出信号Ｄ７を受けてレギュレータ２は、図５（Ａ）に示す如く再起動し、レギュレータ２から出力される出力電圧Ｖ２が上昇する。
【００７５】
このレギュレータ出力電圧Ｖ２の上昇に追従して、図５（Ｄ）に示す如くレギュレータ３から出力される出力電圧Ｖ３が上昇し、この出力電圧Ｖ３が電圧Ｖ３ｂ以上なると、図５（Ｆ）に示す如く電圧検出器６の検出信号Ｄ６がＨｉ信号（オン信号）に反転し、レギュレータ４が起動し、図５（Ｅ）に示す如くレギュレータ出力電圧Ｖ４が上昇する。
【００７６】
図６には、本発明に係る電源装置の第２の実施の形態が示されている。
図６に図示の本発明に係る電源装置の第２の実施の形態が、図２に図示の電源装置の第１の実施の形態と異なる点は、図２に図示の第１の実施の形態が、レギュレータ２を降圧型スイッチングレギュレータで構成しているのに対し、図６に図示の第２の実施の形態がレギュレータ２を昇降圧型スイッチングレギュレータに置換えた点で、他は図示の第２の実施の形態の回路構成と同一であるので、ここではその説明を省略する。
【００７７】
図６において、図２に対する変更点は、スイッチ素子２０２、ダイオード２０１、分圧器２０３、基準電圧発生回路２０４、比較器２０５を追加した点である。この追加した回路は、バッテリ１から供給されるバッテリ電圧Ｖ１が、レギュレータ２から出力される出力電圧Ｖ２の目標電圧Ｖ２ａより小さい場合に動作する。このレギュレータ２から出力される出力電圧Ｖ２が目標電圧Ｖ２ａより小さい場合は、分圧器２０３で分圧された電圧と基準電圧発生回路２０４から供給される基準電圧とを比較器２０５で比較することによって検出する。
【００７８】
すなわち、
バッテリ電圧Ｖ１  ≦  目標電圧Ｖ２ａ
の場合、スイッチ素子２１は、オン固定となり、スイッチ素子２０２のＰＷＭ制御によってバッテリ１から供給されるバッテリ電圧Ｖ１を昇圧してレギュレータ２から出力される出力電圧Ｖ２を生成する。
【００７９】
なお、レギュレータ２から出力される出力電圧Ｖ２は、分圧器２５で分圧された電圧と基準電圧発生回路２６から供給される基準電圧をＯＰアンプ２７で差分を算出することによって供給する電流量、すなわち、スイッチ素子２０２のＰＷＭ量をコントロールする。
【００８０】
そして、バッテリ１から供給されるバッテリ電圧Ｖ１とレギュレータ２から出力される出力電圧Ｖ２の目標電圧Ｖ２ａとの関係が、
バッテリ電圧Ｖ１  >   目標電圧Ｖ２ａ
の場合は、降圧動作となる。
【００８１】
すなわち、スイッチ素子２０２はオフ固定となり、図２に図示の第１の実施の形態の場合と同様にスイッチ素子２１のＰＷＭ制御により、レギュレータ２から出力される出力電圧Ｖ２を降圧生成する。
【００８２】
図７には、レギュレータ２を昇降圧型スイッチングレギュレータにした場合の起動、停止時のタイムチャートが示されている。
図７は、レギュレータ２を昇降圧型スイッチングレギュレータにした場合の起動、停止時の波形である。
【００８３】
図７において、まず、図７に図示のタイミングａの時点において、図７（Ａ）に示す如く、バッテリ１からバッテリ電圧Ｖ１が供給され電源装置１０が起動する。このバッテリ１からバッテリ電圧Ｖ１が供給されると、図７（Ｂ）に示す如く、レギュレータ２が起動し、バッテリ１から供給されるバッテリ電圧Ｖ１の上昇にしたがってレギュレータ２から出力される出力電圧Ｖ２も上昇する。このレギュレータ２が起動し出力電圧Ｖ２が出力されると、図７（Ｃ）に示す如く、レギュレータ３が起動し、レギュレータ２から出力されるバッテリ電圧Ｖ２の上昇にしたがってレギュレータ３から出力される出力電圧Ｖ３も上昇する。
【００８４】
その後、図７に図示のタイミングｂの時点で、昇圧回路が動作可能電圧まで、図７（Ａ）に示す如くバッテリ１から供給されるバッテリ電圧Ｖ１が上昇すると、昇圧レギュレータ用スイッチ素子２０２がＰＷＭ動作を開始し、レギュレータ２から出力される出力電圧Ｖ２は、図７（Ｂ）に示す如く、目標電圧Ｖ２ａに向かって昇圧動作を開始する。この昇圧動作の開始によって、図７（Ｃ）に示す如く、レギュレータ３から出力される出力電圧Ｖ３が追従して上昇する。そして、レギュレータ３から出力される出力電圧Ｖ３が、図７（Ｃ）に示す如く、電圧Ｖ３ｂ以上になったことを電圧検出器６が検出すると、電圧検出器６からは、検出信号Ｄ６（Ｈｉ信号）をレギュレータ４のコントローラ４６に出力する。
【００８５】
この電圧検出器６の検出信号Ｄ６によってレギュレータ４は、起動し、レギュレータ４から出力される出力電圧Ｖ４が上昇する。このレギュレータ４が起動すると、レギュレータ４から出力される出力電圧Ｖ４は、図７に図示のタイミングｃの時点で目標電圧Ｖ４ａに向かって上昇し始める。そして、バッテリ１から供給されるバッテリ電圧Ｖ１が電圧Ｖ２ａ以上になった時、レギュレータ２は、図７（Ａ）に示す如く昇圧動作を停止、すなわち、スイッチ素子２０２を停止し、スイッチ素子２１のＰＷＭ制御による降圧動作に切換える。
【００８６】
図７に図示のタイミングｄの時点で、図７（Ａ）に示す如くバッテリ１から供給されるバッテリ電圧Ｖ１が低下し、バッテリ１から供給されるバッテリ電圧Ｖ１が電圧Ｖ２ａ以下になると、レギュレータ２は、図７（Ｂ）に示す如く降圧動作を停止し、すなわち、スイッチ素子２１をオン固定とし、スイッチ素子２０２のＰＷＭ制御による昇圧動作を開始する。
【００８７】
また、図７に図示のタイミングｅの時点で、図７（Ａ）に示す如くバッテリ１から供給されるバッテリ電圧Ｖ１が、昇圧回路動作可能電圧以下になった時、図７（Ｂ）に示す如くレギュレータ２を停止し、レギュレータ２から出力される出力電圧Ｖ２は、バッテリ１から供給されるバッテリ電圧Ｖ１に追従して低下する。
【００８８】
さらに、図７に図示のタイミングｆの時点で、図７（Ｃ）に示す如くレギュレータ３から出力される出力電圧Ｖ３が、電圧Ｖ３ｂ〜ヒステリシス電圧Ｖ３ｃ以下になったことを電圧検出器６で検出すると、電圧検出器６は、図７（Ｅ）に示す如く、電圧検出器６から検出信号Ｄ６出力される検出信号Ｄ６（Ｌｏｗ信号）をレギュレータ４のコントローラ４６に出力する。この電圧検出器６の検出信号Ｄ６によってレギュレータ４は、遮断される。
【００８９】
図８には、本発明に係る電源装置の第３の実施の形態が示されている。
図８に図示の第３の実施の形態が、図１に図示の第１の実施の形態と異なる点は、図１に図示の第１の実施の形態が、レギュレータ３、および、レギュレータ４をレギュレータ２から出力される出力電圧Ｖ２に並列に接続しているのに対し、図８に図示の第３の実施の形態は、レギュレータ３の後段にレギュレータ４を接続している点で異なり、他は図１に図示の第１の実施の構成と異なるところはない。図８に図示の第３の実施の形態は、図１に図示の第１の実施と効果の点での相違はない。
【００９０】
また、図１に図示の第１の実施の形態、及び、図６に図示の第２の実施の形態においては、レギュレータ２をスイッチングレギュレータで構成し、レギュレータ３及びレギュレータ４をリニアレギュレータで構成したが、この構成に限られるものではない。更に、図１に図示の第１の実施の形態、及び、図６に図示の第２の実施の形態においては、レギュレータを３個用いているが、このレギュレータは３個に限定されるものではなく、各種要求において複数のレギュレータ構成において、本発明を構成することもできる。
【００９１】
【発明の効果】
本発明によれば、高低２つの電圧の供給を行う必要があるマイクロコンピュータの場合、何らかの事情で、マイクロコンピュータに供給する２つの電源の電圧が逆転したような場合であっても、マイクロコンピュータ内のアイソレーションが崩れるのを防止し、ラッチアップを生じるのを防ぐことができる。
【００９２】
また、本発明によれば、第１のレギュレータから出力される第１の電圧の低下によってマイクロコンピュータの誤動作を防止することができる。
【図面の簡単な説明】
【図１】本発明に係る電源装置の第１の実施の形態を示すブロック図である。
【図２】図１に図示の電源装置の詳細回路図である。
【図３】図２に図示の電源装置の第１の実施の形態のバッテリから供給されるバッテリ電圧の起動、停止時の各レギュレータの出力電圧のタイムチャートである。
【図４】図２に図示の電源装置の第１の実施の形態のレギュレータから出力される出力電圧が異常電圧となった場合のタイムチャートである。
【図５】図２に図示の電源装置の第１の実施の形態の電源装置が過熱し、電源装置の内部の温度が異常になった時のフローチャートである。
【図６】本発明に係る電源装置の第２の実施の形態を示す回路構成図である。
【図７】図６に図示の電源装置の第２の実施の形態のレギュレータを昇降圧型スイッチングレギュレータにした場合の起動、停止時のタイムチャートである。
【図８】本発明に係る電源装置の第３の実施の形態を示すブロック図である。
【符号の説明】
１……………………バッテリ
２……………………レギュレータ
３……………………レギュレータ
４……………………レギュレータ
５……………………レギュレータ２出力電圧検出器
６……………………レギュレータ３出力電圧検出器
７……………………過熱検出器
８……………………マイクロコンピュータ
【図１】
0003696588.tif 000002
【図２】
0003696588.tif 000003
【図３】
0003696588.tif 000004
【図４】
0003696588.tif 000005
【図５】
0003696588.tif 000006
【図６】
0003696588.tif 000007
【図７】
0003696588.tif 000008
【図８】
0003696588.tif 000009